(57)【特許請求の範囲】
【請求項１】
多チャンネルサラウンド再生モードを有するオーディオ機器と、該オーディオ機器の出力を録音するステレオ録音機器とからなるオーディオシステムであって、上記ステレオ録音機器が録音動作状態になると、上記オーディオ機器は多チャンネルサラウンド再生モード時強制的にステレオダウンミックスモードに切り換えられることを特徴とするオーディシステム。
【請求項２】
多チャンネルサラウンド再生モードを有するオーディオ機器と、該オーディオ機器の出力を録音するステレオ録音機器と、上記両機器にコマンド信号を与えるリモコン機器とからなるオーディオシステムであって、上記リモコン機器からの録音コマンド信号の受信に応じて、上記ステレオ録音機器は録音動作状態になると共に、上記オーディオ機器は多チャンネルサラウンド再生モード時強制的にステレオダウンミックスモードに切り換えられることを特徴とするオーディシステム。
【請求項３】
請求項１または２記載のオーディオシステムにおいて、前記オーディオ機器は前記ステレオ録音機器から出力される表示コード信号を受信するように構成され、前記オーディオ機器は、前記ステレオ録音機器からの録音表示コードに応じて多チャンネルサラウンド再生モード時強制的にステレオダウンミックスモードに切り換えられることを特徴とするオーディシステム。
【請求項４】
請求項１乃至３のいずれかに記載のオーディシステムにおいて、さらに、前記オーディオ機器は、前記ステレオ録音機器または前記リモコン機器からの録音停止信号に応じて、ステレオダウンミックスモードから元の多チャンネルサラウンド再生モードに切り換えられることを特徴とするオーディシステム。
【請求項５】
請求項１乃至４のいずれかに記載のオーディシステムにおいて、さらに、ダウンミックスオフキーを設けたことを特徴とするオーディシステム。
【発明の詳細な説明】
【０００１】
【発明の属する技術分野】
本発明はオーディオシステムに関し、特にＡＶシステムの録音機能に関する。
【０００２】
【従来の技術】
通常のステレオ（Ｌ，Ｒの２チャンネル）再生モードのほかに多チャンネル信号、例えばドルビーＡＣ−３方式５．１チャンネル（Ｌ，Ｒ，Ｃ，ＬＳ，ＲＳ等）デジタル信号やＤＴＳデジタル信号、を出力できるサラウンド再生モードを有するオーディオ機器、例えばＡＶ（オーディオビデオ）レシーバ、から出力される多チャンネル信号をＭＤ（ミニディスク）レコードプレーヤ（以降ＭＤプレーヤとする）やカセットデッキなどのステレオ録音機器で録音するオーディオシステムでは、そのまま録音状態にすると、多チャンネル成分の内のＬ成分とＲ成分だけがステレオ録音機器のＬ及びＲチャンネルに録音され、他のチャンネル成分は録音されない。
この場合、サラウンド再生モードでは、例えば“セリフ”や“ボーカル”はＣ（センター）チャンネルになるので、ダウンミックスせずにこのままＬ及びＲ成分のみ録音すると、セリフや、ボーカルがなくなってしまう。（すなわち、一種のカラオケ状態になる。）
【０００３】
そこで、上述の場合に多チャンネル信号の全部の音声をステレオ録音機器のＬ及びＲチャンネルに録音するためには、まずステレオダウンミックスキーを押し、多チャンネルサラウンド信号をステレオ信号にダウンミックスしてから、録音キーを押してＭＤプレーヤやカセットデッキを録音状態にする。
図４は、従来のオーディオシステムにおける録音操作を説明するフローチャートである。
まずステップＳ２１で、現在レシーバはサラウンド再生モードＯＮ中か否かを判断し、イエスならばＳ２２に進み、リモコン（またはレシーバ）のステレオダウンミックスキーをＯＮしレシーバのサラウンド再生モードを解除してステレオ再生モードにし、次いでＳ２３に進む。Ｓ２１の答がノーならば直接Ｓ２３に進む。
Ｓ２３では、リモコンのレコードキーを押してＭＤプレーヤ（またはカセットデッキ）を録音状態にし、録音を行なう。
録音終了時、Ｓ２４でリモコンのストップキーを押してＭＤプレーヤ（またはカセットデッキ）を停止する。
【０００４】
【発明が解決しようとする課題】
しかし、上述のように多チャンネル信号をステレオ録音機器で録音するためには、多チャンネル信号をステレオ信号にダウンミックスする操作をしてから、ＭＤプレーヤやカセットデッキを録音状態にする操作を行う必要があり、操作が煩雑である。
また、ダウンミックスモードにするのを忘れると、セリフまたはボーカルのない音が録音されてしまう。
【０００５】
ＡＶレシーバのＬ及びＲチャンネルＲＥＣ  ＯＵＴ端子出力に常にダウンミックスした信号を出力すれば上記の問題は発生しないが、その為には、信号処理するＤＳＰ（デジタルシグナルプロセッサ）が専用に必要となり、コストアップとなる。
【０００６】
本発明の目的は、１回の操作で不具合の発生しない録音動作を指示できるオーディオシステムを提供することにある。
【０００７】
【課題を解決するための手段】
本発明によるオーディオシステムは、請求項１に記載のように、
多チャンネルサラウンド再生モードを有するオーディオ機器と、該オーディオ機器の出力を録音するステレオ録音機器とからなるオーディオシステムであって、上記ステレオ録音機器が録音動作状態になると、上記オーディオ機器は多チャンネルサラウンド再生モード時強制的にステレオダウンミックスモードに切り換えられることを特徴とする。
【０００８】
また、本発明によるオーディオシステムは、請求項２に記載のように、
多チャンネルサラウンド再生モードを有するオーディオ機器と、該オーディオ機器の出力を録音するステレオ録音機器と、上記両機器にコマンド信号を与えるリモコン機器とからなるオーディオシステムであって、上記リモコン機器からの録音コマンド信号の受信に応じて、上記ステレオ録音機器は録音動作状態になると共に、上記オーディオ機器は多チャンネルサラウンド再生モード時強制的にステレオダウンミックスモードに切り換えられることを特徴とする。
【０００９】
また、本発明によるオーディオシステムは、請求項３に記載のように、
請求項１または２記載のオーディオシステムにおいて、前記オーディオ機器は前記ステレオ録音機器から出力される表示コード信号を受信するように構成され、前記オーディオ機器は、前記ステレオ録音機器からの録音表示コードに応じて多チャンネルサラウンド再生モード時強制的にステレオダウンミックスモードに切り換えられることを特徴とする。
【００１０】
また、本発明によるオーディオシステムは、請求項４に記載のように、
請求項１乃至３のいずれかに記載のオーディシステムにおいて、さらに、前記オーディオ機器は、前記ステレオ録音機器または前記リモコン機器からの録音停止信号に応じて、ステレオダウンミックスモードから元の多チャンネルサラウンド再生モードに切り換えられることを特徴とする
【００１１】
また、本発明によるオーディオシステムは、請求項５に記載のように、
請求項１乃至４のいずれかに記載のオーディシステムにおいて、さらに、ダウンミックスオフキーを設けたことを特徴とする。
【００１２】
【発明の実施の形態】
図１は、本発明に係るオーディオシステムの一実施例を示すブロック図である。図１において、ＡＶレシーバ１にＭＤプレーヤ２が接続され、ＡＶレシーバ１及びＭＤプレーヤ２はそれぞれリモコン受信機能を有し、リモコンコマンダー３からのリモコンコマンドで各種動作が指示される。
リモコンコマンダー３からＭＤプレーヤ２への録音コマンドのリモコンコード信号をＡＶレシーバ１が受信した時、ＡＶレシーバ１のモードがドルビーＡＣ−３方式５．１ｃｈなどの多チャンネルサラウンド再生モードになっている場合は、ＡＶレシーバ１のモードを強制的に多チャンネルサラウンド再生モードからステレオダウンミックスモードにする。
また、録音コマンドにより強制的にダウンミックスされているときは、ＡＶレシーバ１はこの状態を記憶しておき、ストップコマンドのリモコンコード信号の受信時に元の多チャンネルモードに戻す。
【００１３】
図２は上記の録音動作を説明するフローチャートである。
まずステップＳ１で、リモコンコマンダー３のＭＤ（Ｔａｐｅ）ＲＥＣキーを押し、次いでＳ２で、ＭＤプレーヤ（またはカセットデッキ）はリモコンコマンドのＲＥＣコード信号を受信し、録音状態になる。
次いでＳ３で、現在ＡＶレシーバ１は内蔵ＣＰＵでサラウンド再生モード（多チャンネルサラウンド再生モード）ＯＮ中か否かを判定し、イエスならばＳ４に進み、内蔵ＣＰＵの制御によりサラウンド再生モードを解除してステレオ再生モード（ステレオダウンミックスモード）にし、次いでＳ５に進む。Ｓ３の答がノーならば直接Ｓ５に進む。
Ｓ５では、リモコンコマンダー３のストップキーを押し、ＭＤプレーヤ（またはカセットデッキ）は内蔵ＣＰＵでリモコンコマンドのＳｔｏｐコード信号を受信してストップキーＯＮか否かを判定する。
Ｓ５の答がイエスならばＳ６に進み、ＭＤプレーヤ２は停止し、次いでＳ７で、ＡＶレシーバ１は、リモコンコマンドのＳｔｏｐコード信号を受信したら、内蔵ＣＰＵの制御によりモードをステレオ再生モードから録音操作前の元のモード、すなわちサラウンド再生モードに戻し、次いで作業を終了する。（例えば、１つのＤＳＰで動作を行うと、ＲＥＣ端子出力信号とスピーカから出力される信号は同じである為、録音時のスピーカ出力は、ステレオ再生になっている。）
【００１４】
このようにして、録音コマンド時は、強制的に“ステレオダウンミックスモード”にすることにより、従来の不具合は解消される。また、録音終了時、自動的にダウンミックスを中止し、スピーカ端子出力は多チャンネル出力に戻るのでユーザにとって便利である。
以上のように、ユーザはサラウンド機能の切換操作をすること無く、１回の録音指示操作で適切な音声モードで録音することが可能になる。
【００１５】
【実施例】
以上、本発明の実施の形態について説明したが、本発明はこれに限らず種々の変形が可能である。
【００１６】
例えば、図２のフローチャートでは、ＭＤプレーヤ（またはカセットデッキ）２に録音禁止になっているディスクやテープがセットされているときでも、ＡＶレシーバ１はＲｅｃ（録音）キーのリモコンコード信号の受信によって自動的にステレオダウンミックスモードになってしまうため、本発明の他の実施例として、ＭＤプレーヤやカセットデッキから出力される表示コード（Ｐｌａｙ，Ｒｅｃ，Ｓｔｏｐなどの状態を、自身の表示装置や他機器のＦＬ、ＯＳＤ、ＬＣＤリモコン等に表示するためのコード）信号を利用し、ＡＶレシーバ１はＭＤプレーヤ（またはカセットデッキ）２からのこの表示コード信号をシステム信号線等を介して受信できるようにし、表示コード信号がＲｅｃコードであると内蔵ＣＰＵが判定したらステレオダウンミックスするように構成すれば、正確に録音時のみダウンミックス状態になる。
【００１７】
図３は上記の録音動作を説明するフローチャートである。
まずステップＳ１１で、リモコンコマンダー３のＭＤ（Ｔａｐｅ）ＲＥＣキーを押し、次いでＳ１２で、ＭＤプレーヤ（またはカセットデッキ）２はリモコンコマンドのＲＥＣコード信号を受信し、録音状態にする。このとき、セットされているＭＤディスク（またはテープ）が録音禁止のものでなければ表示コード信号としてＲｅｃ表示コード信号が出力され、ＡＶレシーバ１で受信される。
次いでＳ１３で、ＡＶレシーバ１は内蔵ＣＰＵでＲｅｃ表示コード信号受信時サラウンド再生モードＯＮ中か否かを判定し、イエスならばＳ１４に進み、内蔵ＣＰＵの制御によりサラウンド再生モードを解除してステレオ再生モードにし、次いでＳ１５に進む。Ｓ１３の答がノーならば直接Ｓ１５に進む。
Ｓ１５では、リモコンコマンダー３のストップキーを押し、ＭＤプレーヤ（またはカセットデッキ）２は内蔵ＣＰＵでリモコンコマンドのＳｔｏｐコード信号を受信してストップキーＯＮか否かを判定する。
Ｓ１５の答がイエスならばＳ１６に進み、ＭＤプレーヤ２は停止し、次いでＳ１７で、ＡＶレシーバ１は、リモコンコマンドのＳｔｏｐコード（またはＭＤプレーヤ（またはカセットデッキ）２からのＳｔｏｐ表示コード）信号を受信したら、内蔵ＣＰＵの制御によりモードをステレオ再生モードから録音操作前の元のモード、すなわちサラウンド再生モードに戻し、次いで作業を終了する。
【００１８】
さらに、例えば、図２及び図３のフローチャートでは、ＡＶレシーバ１はＲｅｃ（録音）キーのリモコンコード信号の受信または録音機器からのＲｅｃ表示コード信号の受信によって自動的にステレオダウンミックスモードになってしまうが、本発明のさらに他の実施例として、リモコンコマンダー３（またはＡＶレシーバ１）に“ダウンミックスオフキー”を追加的に設け、セリフまたはボーカルのない多チャンネル音声信号を録音する際はダウンミックスオフキーを押すことによりサラウンド再生モードのまま録音できるようにしても良い。
【００１９】
他の実施例として、ＡＶレシーバ１とＭＤプレーヤ２をシステム信号線等を介して互いに機器の状態等を通信可能とし、ＭＤプレーヤ２の録音キーを操作して録音状態としたとき、ＭＤプレーヤ２より録音状態の信号をＡＶレシーバ１に送信し、その信号を受信したＡＶレシーバ１の内蔵ＣＰＵはＭＤプレーヤ２が録音状態であると判定してＡＶレシーバ１のモードが多チャンネルサラウンド再生モードになっている場合は、ＡＶレシーバ１のモードを強制的に多チャンネルサラウンド再生モードからステレオダウンミックスモードにするようにしてもよい。このとき、録音停止信号も前記信号線を介してＭＤプレーヤ２からＡＶレシーバ１に送信される。
【００２０】
さらに他の実施例として、図２におけるステップＳ５及びＳ６と図３におけるステップＳ１５及びＳ１６に加えて、ディスクエンドの録音領域がなくなったとき（またはテープエンドで）ＭＤプレーヤ（またはカセットデッキ）が停止したときに、図２のステップＳ７と図３のステップ１７に進むようにしても良い。
【００２１】
【発明の効果】
本発明によれば、ユーザはサラウンド機能の切換操作をすること無く適切な
音声モードで録音することが可能になる。
【図面の簡単な説明】
【図１】本発明によるオーディシステムの一実施例を示すブロック図である。
【図２】図１のブロック図における録音動作を説明するフローチャートである。
【図３】図１のブロック図における録音動作の他の例を説明するフローチャートである。
【図４】従来のオーディオシステムにおける録音動作を説明するフローチャートである。
【符号の説明】
１  ＡＶレシーバ
２  ＭＤプレーヤ（またはカセットデッキ）
３  リモコンコマンダー
【図１】
0003552544.tif 000002
【図２】
0003552544.tif 000003
【図３】
0003552544.tif 000004
【図４】
0003552544.tif 000005